(57)【要約】【課題】  複数の固体光源のそれぞれの結露を十分に避けることを可能とする投写型映像表示装置を提供する。【解決手段】  投写型映像表示装置１００は、複数の固体光源１１１と、複数の固体光源から出射される光を変調するＤＭＤ５００と、ＤＭＤ５００から出射された光を投写面上に投写する投写ユニット１５０とを備える。投写型映像表示装置１００は、複数の固体光源１１１を冷却する１つの冷却ユニット１３０と、複数の固体光源１１１のそれぞれから出射される光量を制御する光源制御部６４０と、少なくとも複数の固体光源の周囲温度に基づいて、複数の固体光源の結露条件を算出する算出部６２０とを備える。光源制御部６４０は、算出部６２０によって算出された結露条件に基づいて、複数の固体光源１１１のそれぞれから出射される光量を制御する。【選択図】  図６
2010256558.tif 000002
【特許請求の範囲】
【請求項１】
複数の固体光源と、前記複数の固体光源から出射される光を変調する光変調素子と、前記光変調素子から出射された光を投写面上に投写する投写ユニットとを備える投写型映像表示装置であって、
前記複数の固体光源を冷却する１つの冷却装置と、
前記複数の固体光源のそれぞれから出射される光量を制御する光源制御部と、
少なくとも前記複数の固体光源の周囲温度に基づいて、前記複数の固体光源の結露条件を算出する算出部とを備え、
前記光源制御部は、前記算出部によって算出された結露条件に基づいて、前記複数の固体光源のそれぞれから出射される光量を制御することを特徴とする投写型映像表示装置。
【請求項２】
前記１つの冷却装置の冷却力を制御する冷却装置制御部をさらに備え、
前記冷却装置制御部は、前記算出部によって算出された結露条件に基づいて、前記１つの冷却装置の冷却力を制御することを特徴とする請求項１に記載の投写型映像表示装置。
【請求項３】
映像入力信号に基づいて、前記光変調素子を制御する素子制御部と、
前記映像入力信号に基づいて、前記複数の固体光源から出射される光量の目標光量を算出するバックライト前処理部とをさらに備え、
前記バックライト前処理部は、前記算出部によって算出された結露条件に基づいて、前記複数の固体光源のそれぞれから出射される光量の最小値を設定し、
前記光源制御部は、前記複数の固体光源のそれぞれから出射される光量が前記最小値を下回らないように、前記複数の固体光源から出射される光量を前記目標光量に制御することを特徴とする請求項１に記載の投写型映像表示装置。
【請求項４】
前記算出部は、前記複数の固体光源のそれぞれの位置に基づいて、前記複数の固体光源のそれぞれの結露条件を算出することを特徴とする請求項１に記載の投写型映像表示装置。
【発明の詳細な説明】
【技術分野】
【０００１】
本発明は、複数の固体光源と、複数の固体光源から出射される光を変調する光変調素子と、光変調素子から出射された光を投写面上に投写する投写ユニットとを備える投写型映像表示装置に関する。
【背景技術】
【０００２】
従来、固体光源と、固体光源から出射された光を変調する光変調素子と、光変調素子から出射された光を投写面上に投写する投写ユニットとを有する投写型映像表示装置が知られている。
【０００３】
ここで、固体光源（特に、光出射面）の結露が生じると、投写面上に投写される映像が劣化する。また、固体光源が劣化する。
【０００４】
これに対して、固体光源の結露を検出する技術が提案されている（例えば、特許文献１）。具体的には、固体光源から出射される光の利用開始に先立って、固体光源から出射される光量が所定期間に亘ってモニタリングされる。ここで、所定期間における光量が略等しい場合には、固体光源の結露が生じていないと判定される。一方で、所定期間における光量が変化（低下）する場合には、固体光源の結露が生じていると判定される。
【先行技術文献】
【特許文献】
【０００５】
【特許文献１】特開２００３−２７３４４５号公報
【発明の概要】
【発明が解決しようとする課題】
【０００６】
ところで、固体光源からの光の出射に伴って固体光源が発熱するため、固体光源を冷却する冷却装置が投写型映像表示装置に設けられることが好ましい。また、投写型映像表示装置は、必要光量を確保するために、複数の固体光源を有しており、複数の固体光源を１つの冷却装置で冷却することも想定される。
【０００７】
このようなケースでは、複数の固体光源から出射される光を利用しているときに、固体光源から出射される光量を変動させた場合に、複数の固体光源うち、少なくとも１つの固体光源が結露条件を満たすことが考えられる。特に、複数の固体光源から出射される光を利用しているときに、固体光源から出射される光量を減少させた場合に、少なくとも１つの固体光源が結露条件を満たすことが考えられる。
【０００８】
上述した技術では、固体光源から出射される光量の変化に基づいて、固体光源の結露が検出されるため、複数の固体光源のそれぞれの結露を十分に避けることができない。
【０００９】
そこで、本発明は、上述した課題を解決するためになされたものであり、複数の固体光源のそれぞれの結露を十分に避けることを可能とする投写型映像表示装置を提供することを目的とする。
【課題を解決するための手段】
【００１０】
第１の特徴に係る投写型映像表示装置は、複数の固体光源（赤固体光源１１１Ｒ、緑固体光源１１１Ｇ、青固体光源１１１Ｂ）と、前記複数の固体光源から出射される光を変調する光変調素子（ＤＭＤ５００Ｒ、ＤＭＤ５００Ｇ、ＤＭＤ５００Ｂ）と、前記光変調素子から出射された光を投写面上に投写する投写ユニット（投写ユニット１５０）とを備える。投写型映像表示装置は、前記複数の固体光源を冷却する１つの冷却装置（冷却ユニット１３０）と、前記複数の固体光源のそれぞれから出射される光量を制御する光源制御部（光源制御部６４０）と、少なくとも前記複数の固体光源の周囲温度に基づいて、前記複数の固体光源の結露条件を算出する算出部（算出部６２０）とを備える。前記光源制御部は、前記算出部によって算出された結露条件に基づいて、前記複数の固体光源のそれぞれから出射される光量を制御する。
【００１１】
第１の特徴において、投写型映像表示装置は、前記１つの冷却装置の冷却力を制御する冷却装置制御部（冷却ユニット制御部６５０）をさらに備える。前記冷却装置制御部は、前記算出部によって算出された結露条件に基づいて、前記１つの冷却装置の冷却力を制御する。
【００１２】
第１の特徴において、投写型映像表示装置は、映像入力信号に基づいて、前記光変調素子を制御する素子制御部（素子制御部６３０）と、前記映像入力信号に基づいて、前記複数の固体光源から出射される光量の目標光量を算出するバックライト前処理部（バックライト前処理部６６０）とをさらに備える。前記バックライト前処理部は、前記算出部によって算出された結露条件に基づいて、前記複数の固体光源のそれぞれから出射される光量の最小値を設定する。前記光源制御部は、前記複数の固体光源のそれぞれから出射される光量が前記最小値を下回らないように、前記複数の固体光源から出射される光量を前記目標光量に制御する。
【００１３】
第１の特徴において、前記算出部は、前記複数の固体光源のそれぞれの位置に基づいて、前記複数の固体光源のそれぞれの結露条件を算出する。
【発明の効果】
【００１４】
本発明によれば、複数の固体光源のそれぞれの結露を十分に避けることを可能とする投写型映像表示装置を提供することができる。
【図面の簡単な説明】
【００１５】
【図１】第１実施形態に係る投写型映像表示装置１００を示す斜視図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０を示す図である。
【図５】第１実施形態に係る色分離合成ユニット１４０及び投写ユニット１５０を示す図である。
【図６】第１実施形態に係る制御ユニット６００を示す図である。
【図７】第１実施形態に係る飽和水蒸気量を示す図である。
【図８】第１実施形態に係るバックライト制御処理を示す図である。
【図９】第１実施形態に係るバックライト制御処理を示す図である。
【図１０】第１実施形態に係るバックライト制御処理を示す図である。
【図１１】変更例１に係る固体光源１１１の配置を示す図である。
【図１２】変更例１に係る制御ユニット６００を示す図である。
【図１３】変更例１に係る出射光量の制御を示す図である。
【図１４】変更例１に係る出射光量の制御を示す図である。
【図１５】変更例１に係る出射光量の制御を示す図である。
【図１６】変更例１に係る出射光量の制御を示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、複数の固体光源と、複数の固体光源から出射される光を変調する光変調素子と、光変調素子から出射された光を投写面上に投写する投写ユニットとを備える。投写型映像表示装置は、複数の固体光源を冷却する１つの冷却装置と、複数の固体光源のそれぞれから出射される光量を制御する光源制御部と、少なくとも複数の固体光源の周囲温度に基づいて、複数の固体光源の結露条件を算出する算出部とを備える。光源制御部は、算出部によって算出された結露条件に基づいて、複数の固体光源のそれぞれから出射される光量を制御する。
【００１９】
実施形態では、光源制御部は、少なくとも複数の固体光源の周囲温度に基づいて算出された結露条件に基づいて、複数の固体光源のそれぞれから出射される光量を制御する。従って、複数の固体光源のそれぞれの結露を十分に避けることができる。
【００２０】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００２１】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２２】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２３】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２４】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２５】
具体的には、筐体２００は、投写面側側壁２１０と、前面側側壁２２０と、底面板２３０と、天板２４０と、第１側面側側壁２５０と、第２側面側側壁２６０とを有する。
【００２６】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２７】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００２８】
光源ユニット１１０は、複数の固体光源（図４に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図４に示す赤固体光源１１１Ｒ）、緑成分光Ｇを出射する緑固体光源（図４に示す緑固体光源１１１Ｇ）、青成分光Ｂを出射する青固体光源（図４に示す青固体光源１１１Ｂ）を有する。光源ユニット１１０の詳細については後述する（図４を参照）。
【００２９】
電源ユニット１２０は、投写型映像表示装置１００に電力を供給するユニットである。例えば、電源ユニット１２０は、光源ユニット１１０及び冷却ユニット１３０に電力を供給する。
【００３０】
冷却ユニット１３０は、光源ユニット１１０に設けられた複数の固体光源を冷却するユニットである。具体的には、冷却ユニット１３０は、各固体光源を載置する冷却ジャケット（図４に示す冷却ジャケット１３１）を冷却することによって、各固体光源を冷却する。
【００３１】
なお、冷却ユニット１３０は、各固体光源以外にも、電源ユニット１２０や光変調素子（後述するＤＭＤ５００）を冷却するように構成されている。
【００３２】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）。
【００３３】
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３４】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３５】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３６】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００３７】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。
【００３８】
ケーブル端子１９０は、第１側面側側壁２５０に設けられており、電源端子や映像端子などの端子である。なお、ケーブル端子１９０は、第２側面側側壁２６０に設けられていてもよい。
【００３９】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００４０】
図３に示すように、投写ユニット１５０は、投写面３００に平行な水平方向（筐体２００の幅方向）において、筐体２００の略中央に配置される。
【００４１】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４２】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４３】
（光源ユニットの構成）
以下において、第１実施形態に係る光源ユニットの構成について、図面を参照しながら説明する。図４は、第１実施形態に係る光源ユニット１１０を示す図である。
【００４４】
図４に示すように、光源ユニット１１０は、複数の赤固体光源１１１Ｒ、複数の緑固体光源１１１Ｇ及び複数の青固体光源１１１Ｂによって構成される。
【００４５】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００４６】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００４７】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００４８】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００４９】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００５０】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００５１】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５２】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５３】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５４】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＬＰ（Ｄｉｇｉｔａｌ  Ｌｉｇｈｔ  Ｐｒｏｃｅｓｓｉｎｇ）方式（登録商標）に対応する投写型映像表示装置１００を例示する。
【００５５】
図５に示すように、色分離合成ユニット１４０は、第１ユニット１４１と、第２ユニット１４２とを有する。
【００５６】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５７】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５８】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５９】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００６０】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００６１】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６２】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６３】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６４】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００６５】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６６】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００６７】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６８】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６９】
レンズ４０は、各色成分光が各ＤＭＤに照射されるように、第１ユニット１４１から出射された光を略平行光化するレンズである。
【００７０】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７１】
プリズム６０は、透光性部材によって構成されており、面６１を有する。
【００７２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８１】
投写ユニット１５０は、投写レンズ群１５１と、凹面ミラー１５２とを有する。
【００８２】
投写レンズ群１５１は、色分離合成ユニット１４０から出射された光（映像光）を凹面ミラー１５２側に出射する。
【００８３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８６】
（制御ユニットの構成）
以下において、第１実施形態に係る制御ユニットについて、図面を参照しながら説明する。図６は、第１実施形態に係る制御ユニット６００を示すブロック図である。制御ユニット６００は、投写型映像表示装置１００に設けられており、投写型映像表示装置１００を制御する。
【００８７】
ここで、制御ユニット６００は、映像入力信号を映像出力信号に変換して、映像出力信号を出力する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００８８】
図６に示すように、制御ユニット６００は、映像信号受付部６１０と、算出部６２０と、素子制御部６３０と、光源制御部６４０と、冷却ユニット制御部６５０とを有する。
【００８９】
映像信号受付部６１０は、ＤＶＤやＴＶチューナなどの外部装置（不図示）から映像入力信号を受付ける。
【００９０】
算出部６２０は、少なくとも複数の固体光源１１１の周囲温度に基づいて、複数の固体光源１１１の結露条件を算出する。なお、結露条件は、結露が生じる条件である。具体的には、結露条件は、固体光源１１１の温度を示す条件（露点温度）であり、固体光源１１１の温度が結露条件を満たす場合に、固体光源１１１の表面（例えば、ヘッド１１２の光出射面）に結露が生じる。
【００９１】
ここで、第１実施形態では、算出部６２０は、温度センサ７１０及び湿度センサ７２０に接続されている。温度センサ７１０は、複数の固体光源１１１の周囲温度を検出し、算出部６２０は、複数の固体光源１１１の周囲温度を温度センサ７１０から取得する。湿度センサ７２０は、複数の固体光源１１１の周囲湿度を検出し、算出部６２０は、複数の固体光源１１１の周囲湿度を湿度センサ７２０から取得する。
【００９２】
第１に、算出部６２０は、温度センサ７１０及び湿度センサ７２０によって検出された周囲温度及び周囲湿度に基づいて、飽和水蒸気量を特定する。図７に示すように、周囲温度及び周囲湿度に基づいて、飽和水蒸気量を特定可能であることは勿論である。なお、図７では、周囲湿度は、水蒸気量（ｇｍ３）で表されている。
【００９３】
第２に、算出部６２０は、特定された飽和水蒸気量に基づいて、複数の固体光源１１１の結露条件を算出する。結露条件は、上述したように、結露が生じる条件であり、固体光源１１１の温度を示す条件（露点温度）である。
【００９４】
例えば、固体光源１１１の環境温度に比べて固体光源１１１の温度が低く、固体光源１１１の温度が露点温度よりも低いと、固体光源１１１の表面（例えば、ヘッド１１２の光出射面）に結露が生じる。
【００９５】
なお、第１実施形態では、算出部６２０は、複数の固体光源１１１に共通する１つの結露条件を算出することに留意すべきである。
【００９６】
素子制御部６３０は、映像入力信号に基づいてＤＭＤ５００を制御する。具体的には、素子制御部６３０は、映像入力信号の変換によって得られる映像出力信号に基づいてＤＭＤ５００を制御する。
【００９７】
光源制御部６４０は、光源ユニット１１０に設けられた複数の固体光源１１１のそれぞれから出射される光量を制御する。具体的には、光源制御部６４０は、算出部６２０によって算出された結露条件が満たされないように、複数の固体光源１１１のそれぞれから出射される光量を制御する。すなわち、光源制御部６４０は、各固体光源１１１の温度が露点温度を下回らないように、複数の固体光源１１１のそれぞれから出射される光量を制御する。
【００９８】
冷却ユニット制御部６５０は、冷却ユニット１３０の冷却力を制御する。具体的には、光源制御部６４０は、算出部６２０によって算出された結露条件が満たされないように、冷却ユニット１３０の冷却力を制御する。すなわち、光源制御部６４０は、各固体光源１１１の温度が露点温度を下回らないように、冷却ユニット１３０の冷却力を制御する。
【００９９】
ここで、各固体光源１１１の温度が露点温度を下回らないように、複数の固体光源１１１のそれぞれから出射される光量及び冷却ユニット１３０の冷却力の双方を制御してもよい。また、各固体光源１１１の温度が露点温度を下回らないように、複数の固体光源１１１のそれぞれから出射される光量のみを制御してもよい。例えば、冷却ユニット１３０が設けられていないケースでは、複数の固体光源１１１のそれぞれから出射される光量の制御のみによって、各固体光源１１１の温度が露点温度を下回らないような制御が実現される。
【０１００】
（作用及び効果）
第１実施形態では、光源制御部６４０は、少なくとも複数の固体光源１１１の周囲温度に基づいて算出された結露条件に基づいて、複数の固体光源１１１のそれぞれから出射される光量を制御する。従って、複数の固体光源１１１のそれぞれの結露を十分に避けることができる。
【０１０１】
同様に、第１実施形態では、冷却ユニット制御部６５０は、少なくとも複数の固体光源１１１の周囲温度に基づいて算出された結露条件に基づいて、冷却ユニット１３０の冷却力を制御する。従って、複数の固体光源１１１のそれぞれの結露を十分に避けることができる。
【０１０２】
第１実施形態では、算出部６２０は、温度センサ７１０及び湿度センサ７２０によって検出された周囲温度及び周囲湿度に基づいて、飽和水蒸気量を特定し、飽和水蒸気量に基づいて結露条件(露点温度)を算出する。従って、結露条件(露点温度)の算出において十分な精度が得られる。
【０１０３】
［変更例１］
以下において、第１実施形態の変更例１について、図面を参照しながら説明する。以下においては、第１実施形態との相違点について説明する。
【０１０４】
具体的には、変更例１では、投写型映像表示装置１００は、複数の固体光源１１１から出射される光量を目標光量に制御するバックライト制御処理を行う。ここで、投写型映像表示装置１００は、結露条件に基づいて、複数の固体光源１１１のそれぞれから出射される光量の最小値を設定する。
【０１０５】
（バックライト制御処理）
以下において、バックライト制御処理の一例について、図８〜図１０を参照しながら説明する。バックライト制御処理は、映像入力信号の信号値（例えば、明るさを示す指標）に基づいて、光源ユニット１１０から出射される光量を制御する処理である。また、バックライト制御処理は、光源ユニット１１０から出射される光量の制御量に応じて、映像入力信号を映像出力信号に変換する処理である。ここで、バックライト制御処理は、赤、緑及び青の色毎に行われることに留意すべきである。
【０１０６】
なお、映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎の信号である。
【０１０７】
また、変更例１では、バックライト制御処理が色毎に行われるため、明るさを示す指標として、各色の輝度を用いる。
【０１０８】
以下においては、輝度は、光源ユニット１１０から出射される光量と映像出力信号との乗算結果によって取得される。輝度最大値ＬＭＡＸは、１フレーム内における各色の輝度の最大値である。輝度上限値ＬＬＩＭは、輝度が取り得る上限値（ここでは、“１．０”）である。信号上限値は、映像入力信号及び映像出力信号が取り得る上限値（例えば、“２５５”）である。ここで、映像入力信号を映像出力信号に変換する場合に、映像入力信号と映像出力信号とは、基本的に、１対１の関係を有するものとする。
【０１０９】
第１に、バックライト制御処理が行われる前の状態、光源ユニット１１０から出射される光量が最大である状態について説明する。図８の上段に示すように、輝度のヒストグラムが生成される。光源ユニット１１０から出射される光量が最大であるため、図８の上段に示すヒストグラムの輝度は、映像入力信号に基づいて算出される。
【０１１０】
ここでは、映像入力信号に基づいて算出された輝度最大値ＬＭＡＸは、輝度上限値ＬＬＩＭの０．９倍であるケースを例示する。
【０１１１】
この段階では、光源ユニット１１０から出射される光量が最大であり、映像入力信号と映像出力信号とが１対１の関係であるため、映像出力信号の信号上限値における輝度は、“１．０”である。
【０１１２】
第２に、バックライト制御処理において、光源ユニット１１０から出射される光量を減少した状態について説明する。ここでは、光源ユニット１１０から出射される光量が０．９倍されている。光源ユニット１１０から出射される光量が０．９倍されるため、図９の上段に示す輝度ヒストグラムは、図８の上段に示す輝度ヒストグラムに比べて、低輝度側に圧縮される。
【０１１３】
この段階では、光源ユニット１１０から出射される光量が０．９倍され、映像入力信号と映像出力信号とが１対１の関係であるため、映像出力信号の信号上限値における輝度は、“０．９”である。
【０１１４】
第３に、バックライト制御処理において、映像入力信号に比べて映像出力信号を伸張するように、映像入力信号が映像出力信号に変換された後の状態について説明する。ここでは、映像入力信号を“１．０／０．９”倍することによって、映像出力信号が得られている。映像出力信号が映像入力信号に比べて伸張されるため、図１０の上段に示す輝度のヒストグラムは、図９の上段に示す輝度ヒストグラムよりも高輝度側に伸張される。すなわち、光源ユニット１１０から出射される光量の減少が映像出力信号の伸張によって補われるため、図１０の上段に示す輝度のヒストグラムは、図８の上段に示す輝度のヒストグラムと同様となる。
【０１１５】
この段階では、光源ユニット１１０から出射される光量が０．９倍され、映像出力信号が映像入力信号に比べて伸張されるため、映像出力信号の信号上限値における輝度は、“１．０”である。
【０１１６】
このように、バックライト制御処理では、光源ユニット１１０から出射される光量の減少に伴う光量不足が信号処理によって補われる。従って、最終的な輝度が維持される。
【０１１７】
（固体光源の配置例）
以下にいおいて、変更例１に係る固体光源の配置例について、図面を参照しながら説明する。図１１は、変更例１に係る固体光源１１１の冷却について示す図である。
【０１１８】
図１１に示すように、冷却ユニット１３０は、冷媒流路１３２を有しており、冷媒流路１３２を循環する冷媒を冷却する。冷媒流路１３２は、固体光源１１１を載置する冷却ジャケット１３１に接続されており、冷却ジャケット１３１は、冷媒流路１３２を循環する冷媒によって冷却される。固体光源１１１は、冷却ジャケット１３１によって冷却される。
【０１１９】
ここで、変更例１では、冷媒流路１３２を冷媒が循環する向きにおいて、冷却ユニット１３０に近い順に、固体光源１１１−１、固体光源１１１−２、固体光源１１１−３が設けられているケースについて例示する。
【０１２０】
なお、固体光源１１１−１〜固体光源１１１−３は、例えば、複数の赤固体光源１１１Ｒである。同様に、固体光源１１１−１〜固体光源１１１−３は、複数の緑固体光源１１１Ｇであってもよく、青固体光源１１１Ｂであってもよい。
【０１２１】
（制御ユニットの構成）
以下において、変更例１に係る制御ユニットについて、図面を参照しながら説明する。図１２は、変更例１に係る制御ユニット６００を示すブロック図である。なお、図１２では、図６に示す構成と同様の構成について同様の符号を付している。
【０１２２】
図１２に示すように、制御ユニット６００は、図６に示す構成に加えて、バックライト前処理部６６０を有する。
【０１２３】
バックライト前処理部６６０は、バックライト制御処理の前処理を行う。上述したように、バックライト制御処理は、赤、緑及び青の色毎に行われることに留意すべきである。
【０１２４】
バックライト前処理部６６０は、映像入力信号に基づいて、目標光量ＬＴ及び目標ゲインＧＴを算出する。目標光量ＬＴは、光源ユニット１１０から出射される光量の制御に用いられる。目標ゲインＧＴは、映像入力信号を映像出力信号に変換する制御に用いられる。
【０１２５】
変更例１では、目標光量ＬＴは、映像入力信号に基づいて算出された色毎の輝度の代表値と輝度上限値との比率と考えてもよい。また、目標ゲインＧＴは、目標光量ＬＴと同様に、映像入力信号に基づいて色毎に算出された色毎の輝度の代表値と輝度上限値との比率と考えてもよい。なお、輝度の代表値としては、フレーム内における輝度の最大値、又は、フレーム内における輝度の平均値が用いられる。
【０１２６】
上述したように、バックライト制御処理が、赤、緑及び青の色毎に行われるため、目標光量ＬＴ及び目標ゲインＧＴは、赤、緑及び青の色毎に算出されることに留意すべきである。
【０１２７】
ここで、バックライト前処理部６６０は、複数の固体光源１１１のそれぞれから出射される光量の最小値ＭＩＮを設定する。具体的には、バックライト前処理部６６０は、上述した算出部６２０によって算出された結露条件に基づいて、結露条件が満たされないように最小値ＭＩＮを設定する。すなわち、バックライト前処理部６６０は、各固体光源１１１の温度が露点温度を下回らないように最小値ＭＩＮを設定する。
【０１２８】
なお、第１実施形態に示したように、複数の固体光源１１１に共通する１つの結露条件が算出される。従って、変更例１では、複数の固体光源１１１に共通する１つの最小値ＭＩＮが結露条件に基づいて設定される。
【０１２９】
上述した光源制御部６４０は、各固体光源１１１から出射される光量が最小値ＭＩＮを下回らない範囲で、各固体光源１１１から出射される光量（合計光量）を目標光量ＬＴに制御する。
【０１３０】
（出射光量の制御）
以下において、図１１に示す固体光源１１１の配置を例に挙げて、（１）一般的なバックライト制御処理における出射光量の制御、（２）変更例１に係るバックライト制御処理における出射光量の制御について順に説明する。ここでは、目標光量ＬＴが最大光量の“２／３”であるケースについて例示する。
【０１３１】
なお、図１２は、（１）一般的なバックライト制御処理における出射光量の制御を示す図である。図１３は、変更例１に係るバックライト制御処理における出射光量の制御を示す図である。
【０１３２】
（１）一般的なバックライト制御処理では、例えば、固体光源１１１−１〜固体光源１１１−３のうち、発光効率が最も悪い固体光源１１１から出射される光量を優先的に減少する。従って、図１２に示すように、固体光源１１１−１の発光効率が最も悪ければ、固体光源１１１−１から出射される光量を“０”にすることによって、光源ユニット１１０から出射される光量が“２／３”に制御される。従って、固体光源１１１−１から出射される光量が最小値ＭＩＮを下回る可能性がある。すなわち、固体光源１１１−１で結露が生じる可能性がある。
【０１３３】
これに対して、（２）変更例１に係るバックライト制御処理では、各固体光源１１１の最小値ＭＩＮが設定されており、各固体光源１１１から出射される光量が最小値ＭＩＮを下回らないように制御される。従って、図１３に示すように、例えば、固体光源１１１−１及び固体光源１１１−２から出射される光量を減少することによって、光源ユニット１１０から出射される光量が“２／３”に制御される。
【０１３４】
（作用及び効果）
変更例１では、バックライト前処理部６６０は、結露条件に基づいて、複数の固体光源１１１から出射される光量の最小値ＭＩＮを設定する。光源制御部６４０は、各固体光源１１１から出射される光量が最小値ＭＩＮを下回らない範囲で、各固体光源１１１から出射される光量（合計光量）を目標光量ＬＴに制御する。従って、バックライト制御処理において、各固体光源１１１から出射される光量を減少したとしても、複数の固体光源１１１のいずれかで結露が生じることを抑制することができる。
【０１３５】
［変更例２］
以下において、第１実施形態の変更例２について、図面を参照しながら説明する。以下においては、第１実施形態及び変更例１との相違点について説明する。
【０１３６】
変更例１では、結露条件は、複数の固体光源１１１に共通する１つの条件であり、最小値ＭＩＮは、複数の固体光源１１１に共通する１つの値である。これに対して、変更例２では、結露条件は、複数の固体光源１１１のそれぞれの位置に基づいて算出される。また、最小値ＭＩＮは、複数の固体光源１１１のそれぞれの位置に基づいて設定される。
【０１３７】
（出射光量の制御）
以下において、図１１に示す固体光源１１１の配置を例に挙げて、（１）変更例１に係るバックライト制御処理における出射光量の制御、（２）変更例２に係るバックライト制御処理における出射光量の制御について順に説明する。ここでは、目標光量ＬＴが最大光量の“２／３”であるケースについて例示する。
【０１３８】
なお、図１４は、（１）変更例１に係るバックライト制御処理における出射光量の制御を示す図である。図１５は、変更例２に係るバックライト制御処理における出射光量の制御を示す図である。
【０１３９】
（１）変更例１では、複数の固体光源１１１に共通する１つの結露条件が算出される。従って、変更例１に係るバックライト制御処理では、複数の固体光源１１１に共通する１つの最小値ＭＩＮが設定される。
【０１４０】
変更例１に係るバックライト制御処理では、例えば、固体光源１１１−１〜固体光源１１１−３のそれぞれから出射される光量が最小値ＭＩＮを下回らないように、光源ユニット１１０から出射される光量（合計光量）が制御される。
【０１４１】
これに対して、（２）変更例２では、複数の固体光源１１１のそれぞれの位置に基づいて、複数の固体光源１１１毎に複数の結露条件が算出される。従って、変更例１に係るバックライト制御処理では、複数の結露条件に基づいて、複数の固体光源１１１毎に複数の最小値ＭＩＮが設定される。
【０１４２】
具体的には、固体光源１１１−１の最小値ＭＩＮ１、固体光源１１１−２の最小値ＭＩＮ２及び固体光源１１１−３の最小値ＭＩＮ３が設定される。ここで、図１１に示したケースでは、冷媒流路１３２を冷媒が循環する向きにおいて、冷却ユニット１３０に近い順に、固体光源１１１−１、固体光源１１１−２、固体光源１１１−３が設けられている。冷媒流路１３２を循環する冷媒は、各固体光源１１１の熱を吸熱していくため、固体光源１１１−１が最も冷却されやすく、固体光源１１１−３が最も冷却されにくい。従って、各最小値ＭＩＮは、最小値ＭＩＮ１＞最小値ＭＩＮ２＞最小値ＭＩＮ３の関係を有する。
【０１４３】
固体光源１１１−１から出射される光量が最小値ＭＩＮ１を下回らないように、光源ユニット１１０から出射される光量（合計光量）が制御される。同様に、固体光源１１１−２から出射される光量が最小値ＭＩＮ２を下回らないように、かつ、固体光源１１１−３から出射される光量が最小値ＭＩＮ３を下回らないように、光源ユニット１１０から出射される光量（合計光量）が制御される。
【０１４４】
（作用及び効果）
変更例２では、複数の固体光源１１１のそれぞれの位置に基づいて、複数の固体光源１１１毎に最小値ＭＩＮが設定される。従って、複数の固体光源１１１のそれぞれについて、適切な最小値ＭＩＮを設定することができ、各固体光源１１１で結露が生じることをさらに抑制することができる。
【０１４５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１４６】
上述した実施形態では、温度センサ７１０及び湿度センサ７２０が設けられている。しかしながら、実施形態はこれに限定されるものではない。例えば、湿度センサ７２０が設けられていなくてもよい。このようなケースでは、湿度センサ７２０によって検出される環境湿度に代えて、規定値を用いてもよい。規定値は、例えば、日本工業規格で定められた常湿（６５±２０％）を考慮して定められる。例えば、最も悪い条件（８５％）が規定値として用いられる。
【０１４７】
上述した実施形態では、赤固体光源１１１Ｒ、緑固体光源１１１Ｇ及び青固体光源１１１Ｂが設けられている。しかしながら、実施形態はこれに限定されるものではない。例えば、白成分光を出射する固体光源が設けられていてもよい。
【符号の説明】
【０１４８】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、、１７０…前面側凸部、１８０…天板凹部、１８１…傾斜面、１９０…ケーブル端子、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ、６００…制御ユニット、６１０…映像信号受付部、６２０…算出部、６３０…素子制御部、６４０…光源制御部、６５０…冷却ユニット制御部、６６０…バックライト前処理部、７１０…温度センサ、７２０…湿度センサ
【図１】
2010256558.tif 000003
【図２】
2010256558.tif 000004
【図３】
2010256558.tif 000005
【図４】
2010256558.tif 000006
【図５】
2010256558.tif 000007
【図６】
2010256558.tif 000008
【図７】
2010256558.tif 000009
【図８】
2010256558.tif 000010
【図９】
2010256558.tif 000011
【図１０】
2010256558.tif 000012
【図１１】
2010256558.tif 000013
【図１２】
2010256558.tif 000014
【図１３】
2010256558.tif 000015
【図１４】
2010256558.tif 000016
【図１５】
2010256558.tif 000017
【図１６】
2010256558.tif 000018